(57)【要約】      （修正有）【課題】非常に長尺の接着フィルムをリール部材に巻き付けて円滑に引き出すことができる技術を提供する。【解決手段】リール部材１は、円筒形状に形成され、接着フィルムを巻取可能な巻芯軸部２と、巻芯軸部２の両端部に設けられた第１及び第２フランジ部１１，１２と、巻芯軸部２内において巻芯軸部２と同心状に配置され、第１及び第２フランジ部１１，１２に固定された円筒形状の駆動軸支持部４ａを有する軸芯部４とを備えている。このリール部材１の巻芯軸部２にトラバース巻きで接着フィルムを巻き付ける。【選択図】図１
2014043346.tif 000002
【特許請求の範囲】
【請求項１】
円筒形状に形成され、接着フィルムを巻取可能な巻芯軸部と、
前記巻芯軸部の両端部に設けられた第１及び第２フランジ部と、
前記巻芯軸部内において前記巻芯軸部と同心状に配置され、前記第１及び第２フランジ部に固定された円筒形状の駆動軸支持部を有する軸芯部とを備えたリール部材。
【請求項２】
前記巻芯軸部の直径が、５０〜１２０ｍｍである請求項１記載のリール部材。
【請求項３】
前記巻芯軸部の幅が、２０〜１００ｍｍである請求項１又は２のいずれか１項記載のリール部材。
【請求項４】
前記第１及び第２フランジ部の厚さが、１．５〜５ｍｍである請求項１乃至３のいずれか１項記載のリール部材。
【請求項５】
前記軸芯部の駆動軸支持部の径が、１８．０〜２６．０ｍｍである請求項１乃至４のいずれか１項記載のリール部材。
【請求項６】
請求項１記載のリール部材と、
当該リール部材の巻芯軸部にトラバース巻きで巻き付けられた接着フィルムとを有するフィルム収容体。
【請求項７】
請求項６記載のフィルム収容体を製造する方法であって、
請求項１記載のリール部材を巻取駆動軸に装着し、フィルム供給源から供給された接着フィルムの先端部を前記巻芯軸部に取り付け、
前記巻取駆動軸と平行な回転軸を有する弾性の押圧ローラによって前記接着フィルムを前記リール部材の巻芯軸部に押圧した状態で、前記巻取駆動軸を巻取方向に回転させるとともに、ガイドによって当該接着フィルムを当該巻取駆動軸方向に案内することにより、当該リール部材の巻芯軸部に当該接着フィルムをトラバース巻きで前記押圧ローラの幅と同等の幅に巻き付ける工程を有するフィルム収容体の製造方法。
【発明の詳細な説明】
【技術分野】
【０００１】
本発明は、太陽電池のタブ線接合用等の一連の長尺の接着フィルムを巻き取り且つ引き出すためのリール部材の技術に関する。
【背景技術】
【０００２】
従来より、種々の電子部品等を接着するための長尺の接着フィルムが知られている。
このような接着フィルムは、幅狭で長尺の剥離シート上に形成され、リール部材にロール状に巻取った形態で出荷されている。
【０００３】
ところで、近年、このような接着フィルムの長尺化が望まれているが、接着フィルムが長尺化すると、フィルムロールの径が増すことによって接着フィルムに生じる応力が特に巻芯部において増大するため、接着フィルム内の接着剤がはみ出てフランジ部に付着するおそれがあるという問題がある。
【０００４】
このような問題に対しては、リール部材の巻芯軸部を幅広に形成し、接着フィルムを所謂トラバース巻きにすることによって上述した問題を解決することができる可能性がある。
しかし、トラバース巻きで接着フィルムを巻き付けた場合には、巻芯軸部に巻き付けた接着フィルムの応力によって巻芯軸部に大きな力が作用し、巻芯軸部に歪みが生じて引出装置の駆動軸に装着することができなくなるという問題がある。
【０００５】
これに対し、巻芯軸部を鉄やＳＵＳ等の硬質の材料を用いることにより巻芯軸部の歪みを防止することも考えられるが、その場合には、リール部材の重量が大きくなるため、リール設置装置の剛性を大きくする必要性があるとともに、接着フィルムの巻取及び引出時に大きな力が必要になるという問題がある。
なお、本発明に関連する先行技術文献としては、例えば以下に示すようなものがある。
【先行技術文献】
【特許文献】
【０００６】
【特許文献１】特開２０１１−１１７９２号公報
【発明の開示】
【発明が解決しようとする課題】
【０００７】
本発明は、このような従来の技術の課題を考慮してなされたもので、その目的とするところは、非常に長尺の接着フィルムをリール部材に巻き付けて円滑に引き出すことができる技術を提供することにある。
【課題を解決するための手段】
【０００８】
上記目的を達成するためになされた本発明は、円筒形状に形成され、接着フィルムを巻取可能な巻芯軸部と、前記巻芯軸部の両端部に設けられた第１及び第２フランジ部と、前記巻芯軸部内において前記巻芯軸部と同心状に配置され、前記第１及び第２フランジ部に固定された円筒形状の駆動軸支持部を有する軸芯部とを備えたリール部材である。
本発明では、巻芯軸部の直径が、５０〜１２０ｍｍである場合にも効果的である。
本発明では、巻芯軸部の幅が、２０〜１００ｍｍである場合にも効果的である。
本発明では、第１及び第２フランジ部の厚さが、１．５〜５ｍｍである場合にも効果的である。
本発明では、軸芯部の駆動軸支持部の径が、１８．０〜２６．０ｍｍである場合にも効果的である。
また、本発明は、上述したリール部材と、当該リール部材の巻芯軸部にトラバース巻きで巻き付けられた接着フィルムとを有するフィルム収容体である。
一方、本発明は、上述したいずれかのフィルム収容体を製造する方法であって、上述したリール部材を巻取駆動軸に装着し、フィルム供給源から供給された接着フィルムの先端部を前記巻芯軸部に取り付け、前記巻取駆動軸と平行な回転軸を有する弾性の押圧ローラによって前記接着フィルムを前記リール部材の巻芯軸部に押圧した状態で、前記巻取駆動軸を巻取方向に回転させるとともに、ガイドによって当該接着フィルムを当該巻取駆動軸方向に案内することにより、当該リール部材の巻芯軸部に当該接着フィルムをトラバース巻きで前記押圧ローラの幅と同等の幅に巻き付ける工程を有するフィルム収容体の製造方法である。
【０００９】
本発明のリール部材及びフィルム収容体の場合、駆動軸支持部を有する軸芯部が巻芯軸部内の空間において第１及び第２のフランジ部に固定されていることから、巻芯軸部に接着フィルムを巻き付け接着フィルムの応力によって巻芯軸部に大きな力が作用した場合であっても軸芯部には歪みが生ずることはない。
その結果、本発明によれば、例えば接着フィルムをトラバース巻きによって巻き付けたリール部材（フィルム収容体）を引出装置の駆動軸に装着する場合に問題なく装着を行うことができるので、非常に長尺の接着フィルムが巻き付けられたフィルム収容体を提供することができる。
また、本発明によれば、リール部材を構成する各部分は樹脂の成形によって作成することができるため、鉄やＳＵＳ等の硬質の材料を用いた場合と比べて重量が小さく、その結果、リール設置装置の剛性を大きくする必要はなく、また接着フィルムの巻取及び引出時に大きな力が必要になることもない。
一方、通常のトラバース巻きの場合、ロールの端部においてフィルム等の脱落（巻き崩れ）が生ずるおそれがあることから、ロールの上層に行くに従って巻き幅が狭くならざるを得ないが、本発明の方法の場合、弾性の押圧ローラによって接着フィルムをリール部材の巻芯軸部に押圧した状態で、巻取駆動軸を巻取方向に回転させるとともに、ガイドによって接着フィルムを巻取駆動軸方向に案内することにより、リール部材の巻芯軸部に接着フィルムをトラバース巻きで押圧ローラの幅と同等の幅に巻き付けることから、ロールの両端部において接着フィルムの脱落が発生せず、巻き数を最大にすることができるので、リール部材に巻き付けられる接着フィルムの一層の長尺化を図ることができる。
【発明の効果】
【００１０】
本発明によれば、非常に長尺の接着フィルムを巻き付けて円滑に引き出すことができるフィルム収容体を提供することができる。
その結果、本発明によれば、接着フィルムの貼付工程において、リール部材を頻繁に交換する必要がなく、生産効率を大幅に向上させることができる。
【図面の簡単な説明】
【００１１】
【図１】（ａ）：本発明に係るリール部材の実施の形態の構成を示す正面図（ｂ）：同リール部材の側面図
【図２】（ａ）：図１（ｂ）のＢ−Ｂ線断面図（ｂ）：図１（ａ）のＡ−Ａ線断面図
【図３】（ａ）（ｂ）：本発明に係るリール部材及びフィルム収容体の寸法関係を模式的に示す説明図であり、図３（ａ）は正面図、図３（ｂ）は側面図
【図４】（ａ）：本発明に係るフィルム収容体の実施の形態の構成を示す正面図（ｂ）：同フィルム収容体の内部側面図
【図５】（ａ）（ｂ）：本発明のリール部材の巻芯軸部に巻き付けられた接着フィルムの間隔を示す説明図
【図６】本発明のフィルム収容体の製造方法の例を示す図（その１）
【図７】（ａ）（ｂ）：本発明のフィルム収容体の製造方法の例を示す図（その２）
【発明を実施するための形態】
【００１２】
以下、本発明の好ましい実施の形態を図面を参照して詳細に説明する。
本発明は、特に限定されることはないが、長尺の接着フィルムに好適となるものである。
この接着フィルムは、幅が０．６〜３．０ｍｍのものが好適であり、基材上に形成される接着剤層の厚さが１０〜５０μｍのものが好適である。
【００１３】
また、接着剤の最低溶融粘度は、１×１０3〜５．０×１０5Ｐａ・ｓのものが好適である。
さらに、接着剤層上に剥離フィルムを有しない所謂２層タイプのものにも適用可能であるが、フィルム引き出し時のブロッキング防止の観点からは、接着剤層上に剥離フィルムが設けられた所謂３層タイプのものに特に有効となるものである。
【００１４】
図１（ａ）は、本発明に係るリール部材の実施の形態の構成を示す正面図、図１（ｂ）は、同リール部材の側面図である。
また、図２（ａ）は、図１（ｂ）のＢ−Ｂ線断面図、図２（ｂ）は、図１（ａ）のＡ−Ａ線断面図である。
【００１５】
本実施の形態のリール部材１は、例えばポリスチレンやポリカーボネイト等の樹脂からなるもので、図示しないフィルム巻取装置又はフィルム引出装置の駆動軸に装着されるものである。
このリール部材１は、接着フィルムが巻き付けられる円筒形状の巻芯軸部２を有している。
【００１６】
この巻芯軸部２の両端部に、円板形状の第１及び第２フランジ部１１，１２がそれぞれ固定されている。
本実施の形態の場合、第１及び第２フランジ部１１，１２は、上記駆動軸の回転軸線に対して直交するように形成され、同一の構成を有している。
【００１７】
巻芯軸部２の内部３には、円筒形状の軸芯部４が設けられている。
この軸芯部４は、巻芯軸部２より小径で巻芯軸部２と同心状に配置され、第１及び第２フランジ部１１，１２の内壁部に固定されている。
【００１８】
そして、この軸芯部４の内壁部分の駆動軸支持部４ａに対応するように第１及び第２フランジ部１１，１２にそれぞれ孔部５、６が設けられ、これら孔部５、６内に上記駆動軸が挿入され駆動軸支持部４ａによって支持されてリール部材１が駆動軸に取り付けられるように構成されている。
【００１９】
図３（ａ）（ｂ）は、本発明に係るリール部材の寸法関係を模式的に示す説明図であり、図３（ａ）は正面図、図３（ｂ）は側面図である。
本発明の場合、リール部材１の第１及び第２のフランジ部１１、１２の直径（外径）をＤとし、第１及び第２のフランジ部１１、１２の厚さをＷ１、Ｗ２とする。
また、巻芯軸部２の直径（外径）をｄ１とし、厚さをｗ１とし、幅をＷとする。
さらに、軸芯部４の駆動軸支持部４ａの直径（内径）をｄ２とし、厚さをｗ２とする。
【００２０】
本発明の場合、特に限定されることはないが、リール取り付け時の省スペース化の観点からは、リール部材１の第１及び第２のフランジ部１１、１２の直径Ｄは、１２５〜２００ｍｍに設定することが好ましい。
【００２１】
また、本発明の場合、特に限定されることはないが、リール取り付け時の省スペース化の観点より、第１及び第２のフランジ部１１、１２の厚さＷ１、Ｗ２は、１．５〜５．０ｍｍに設定することが好ましい。
【００２２】
また、本発明の場合、特に限定されることはないが、リール取り付け時の省スペース化の観点からは、リール部材１の巻芯軸部２の幅Ｗ（第１及び第２のフランジ部１１，１２間の距離）は、２０〜１００ｍｍに設定することが好ましい。
【００２３】
この場合、巻芯軸部２に巻き付けられる接着フィルム１０のロール幅ｗは、巻崩れを防止する観点からは、巻芯軸部２の幅Ｗに対して両端部においてそれぞれ０．０５〜２．０ｍｍ小さくなるように設定することが好ましい。
【００２４】
また、特に限定されることはないが、長尺の接着フィルムを巻き付けた際に必要な剛性を確保する観点からは、リール部材１の巻芯軸部２の直径ｄ１は、５０〜１２０ｍｍに設定することが好ましく、巻芯軸部２の厚さｗ１は、１．５〜５．０ｍｍに設定することが好ましい。
【００２５】
さらに、本発明の場合、特に限定されることはないが、長尺の接着フィルムの巻取及び引出の際に必要な剛性を確保する観点からは、リール部材１の軸芯部４の駆動軸支持部４ａの径ｄ２は、１８．０〜２６．０ｍｍに設定することが好ましく、軸芯部４の厚さｗ２は、１．０〜２．５ｍｍに設定することが好ましい。
【００２６】
本発明のリール部材１は、種々の方法によって製造することができる。
例えば、射出成形等により第１及び第２のフランジ部１１，１２、巻芯軸部２、軸芯部４をそれぞれ作成し、熱溶着等によってこれらを固着することによって製造することができる。
また、一体成形によっても上述したリール部材１を製造することができる。
【００２７】
図４（ａ）は、本発明に係るフィルム収容体の実施の形態の構成を示す正面図、図４（ｂ）は、同フィルム収容体の内部側面図である。
図４（ａ）（ｂ）に示すように、本実施の形態のフィルム収容体７は、上述したリール部材１の巻芯軸部２に、接着フィルム１０がトラバース巻きで巻き付けられているものである。
ここで、トラバース巻きとは、リール部材１の巻芯軸部２上に、長尺の接着フィルム１０を所定のピッチ（間隔）で螺旋状に複数層に巻き付けることをいう。
【００２８】
図５（ａ）（ｂ）は、本発明のリール部材の巻芯軸部に巻き付けられた接着フィルムの間隔を示す説明図である。
本発明では、リール部材１の巻芯軸部２上に、接着フィルム１０が、隣接する接着フィルム１０の間隔が所定の値ｐとなるように巻き付けられ（図５（ａ））、さらに、これら接着フィルム１０上に、隣接する接着フィルム１０の間隔が所定の値となるように接着フィルム１０が重ねて巻き付けられる（図５（ｂ））。
【００２９】
この場合、隣接する接着フィルム１０の間隔ｐは、特に限定されることはないが、０．０５〜０．１ｍｍとなるように設定することが好ましい。
【００３０】
隣接する接着フィルム１０の間隔ｐが０．０５ｍｍより小さいと、フィルム幅方向にはみ出す接着剤によって隣接する接着フィルム１０同士が接着するおそれがあり、他方、０．１ｍｍより大きいと、接着フィルム１０を巻き取る際に巻き崩れが発生するおそれがあり、２層タイプの場合は隣接する接着フィルム１０の隙間から上下層の接着フィルム１０が接触しブロッキングが発生するおそれがある。
【００３１】
図６及び図７（ａ）（ｂ）は、本発明のフィルム収容体の製造方法の例を示すものである。
上述したフィルム収容体７を製造するには、例えば図６に示すフィルム巻取装置を用いるとよい。
【００３２】
このフィルム巻取装置は、巻取駆動軸２４を有し、この巻取駆動軸２４に上述したリール部材１を装着するように構成されている。
この巻取駆動軸２４の近傍には、例えばシリコーンゴム等の弾性材料からなりリール部材１の巻芯軸部２に対して所定の力で押圧可能な押圧ローラ２３が設けられている。
【００３３】
この押圧ローラ２３は、上記巻取駆動軸２４と平行に設けた回転軸２２に取り付けられている。そして、図示しない駆動機構によって巻取駆動軸２４又は回転軸２２を回転駆動させ、巻取駆動軸２４に装着されたリール部材１の巻芯軸部２に巻き取られる接着フィルム１０の摩擦力によって巻取駆動軸２４と回転軸２２が共に駆動されるように構成されている。
【００３４】
この場合、押圧ローラ２３の幅は、リール部材１の巻芯軸部２の幅Ｗ（図３参照）より小さく、接着フィルム１０の脱落を防止する観点から、接着フィルム１０のロール幅ｗと同等（同一若しくは０〜−１．０ｍｍ）に設定することが好ましい。
【００３５】
さらに、押圧ローラ２３の近傍には、その表面にガイド溝２１ａ（図７（ａ）（ｂ）参照）を有するガイドローラ２１が設けられ、このガイドローラ２１は、上記巻取駆動軸２４と平行に設けられその軸方向に移動可能なガイドローラ駆動軸２０によって駆動されるように構成されている。
【００３６】
このフィルム巻取装置を用いてリール部材１に接着フィルム１０を巻き取る場合には、図示しないフィルム供給源から引き出された接着フィルム１０をガイドローラ２１のガイド溝２１ａを介して押圧ローラ２３に引き渡し、リール部材１の巻芯軸部２と押圧ローラ２３の間を通してたすき掛けにし巻芯軸部２の一方の端部に接着フィルム１０の先端部を取り付る。
この状態で、巻取駆動軸２４又は回転軸２２を巻取方向に回転させる。
【００３７】
この場合、図７（ａ）（ｂ）に示すように、押圧ローラ２３によって接着フィルム１０をリール部材１の巻芯軸部２に押圧しつつ、ガイドローラ駆動軸２０をその軸方向に移動させ、接着フィルム１０を巻取駆動軸２４方向に巻芯軸部２の一方の端部から他方の端部に移動させる。
そして、この動作を繰り返すことにより、リール部材１の巻芯軸部２上に接着フィルム１０をトラバース巻きによって巻き取る。
なお、本実施の形態では、接着フィルム１０のロールの両端部において一層おきに接着フィルム１０同士が重なるようにガイドローラ駆動軸２０の動作を制御する。
【００３８】
以上述べた本実施の形態のリール部材１及びフィルム収容体７の場合、駆動軸支持部４ａを有する軸芯部４が巻芯軸部２内の内部３において第１及び第２のフランジ部１１，１２に固定されていることから、巻芯軸部２に接着フィルム１０を巻き付け接着フィルム１０の応力によって巻芯軸部２に大きな力が作用した場合であっても軸芯部４には歪みが生ずることはない。
【００３９】
その結果、本実施の形態によれば、接着フィルム１０をトラバース巻きによって巻き付けたリール部材１を引出装置の駆動軸に装着する場合に問題なく装着を行うことができるので、非常に長尺の接着フィルム１０が巻き付けられたフィルム収容体７を提供することができる。
【００４０】
また、本実施の形態によれば、リール部材１を構成する各部分は樹脂の成形によって作成することができるため、鉄やＳＵＳ等の硬質の材料を用いた場合と比べて重量が小さく、その結果、リール設置装置の剛性を大きくする必要はなく、また接着フィルム１０の巻取及び引出時に大きな力が必要になることもない。
【００４１】
一方、通常のトラバース巻きの場合、フィルム等のロールの端部において脱落（巻き崩れ）が生ずるおそれがあることから、ロールの上層に行くに従って巻き幅が狭くならざるを得ないが、本実施の形態の方法の場合、弾性の押圧ローラ２３によって接着フィルム１０をリール部材１の巻芯軸部２に押圧した状態で、巻取駆動軸２４を巻取方向に回転させるとともに、ガイドローラ２１によって接着フィルム１０を巻取駆動軸２４の方向に案内することにより、リール部材１の巻芯軸部２にトラバース巻きで接着フィルム１０を押圧ローラ２３の幅と同等の幅に巻き付けることから、接着フィルム１０のロールの両端部において接着フィルム１０の脱落が発生せず、巻き数を最大にすることができるので、リール部材１に巻き付けられる接着フィルム１０の一層の長尺化を図ることができる。
【００４２】
このように、本実施の形態によれば、非常に長尺の接着フィルム１０を巻き付けて円滑に引き出すことができるフィルム収容体７を提供することができ、接着フィルム１０の貼付工程において、リール部材１を頻繁に交換する必要がなく、生産効率を大幅に向上させることができる。
【００４３】
なお、本発明は上述の実施の形態に限られることはなく、種々の変更を行うことができる。
例えば、上述した実施の形態においては、リール部材１の軸芯部４を一体構成の円筒形状としたが、本発明はこれに限られず、第１及び第２のフランジ部１１，１２においてそれぞれ別個の軸芯部を設けることもできる。
【００４４】
また、接着フィルム１０の長さ及び第１及び第２のフランジ部１１，１２の厚さによっては、第１及び第２のフランジ部１１，１２に設けた孔部５，６の内壁によって駆動軸支持部を構成することもできる。
【実施例】
【００４５】
以下、実施例及び比較例を挙げて本発明を具体的に説明するが、本発明は以下の実施例に限定されるものではない。
接着フィルムとして、幅１ｍｍのＰＥＴからなる基材上に厚さ３０μｍの接着剤層を形成したものを用いた。
【００４６】
ここで、接着剤はエポキシ系の樹脂からなるもので、その最低溶融粘度は７．０×１０3Ｐａ・ｓである。
この最低溶融粘度は、回転式レオメータ（TA instrument社製）を用い、昇温速度が１０℃／分、測定圧力が５ｇで一定に保持し、直径８ｍｍの測定プレートを使用して測定した値である。
【００４７】
＜実施例＞
リール部材として、ポリスチレン樹脂からなり、図１（ａ）（ｂ）に示す構成のものを用いた。
ここでは、巻芯軸部の幅が５０ｍｍで直径が６５ｍｍで厚さが５ｍｍ、軸芯部の直径が２５ｍｍで厚さが５ｍｍ、第１及び第２フランジ部の直径が１３５ｍｍで厚さが３．０ｍｍのものを用いた。
【００４８】
このリール部材に対し、図６及び図７（ａ）（ｂ）に示す方法によって接着フィルムをトラバース巻きで、それぞれ３００ｍ、５００ｍ、２０００ｍ、５０００ｍ巻き付けた。
この場合、隣接する接着フィルムの間隔は、０．０５ｍｍとした。
【００４９】
＜比較例１＞
巻芯軸部を形成しない以外は実施例と同一のリール部材を用い、実施例と同一の条件によって軸芯部に接着フィルムをトラバース巻きで、それぞれ３００ｍ、５００ｍ、２０００ｍ、５０００ｍ巻き付けた。
【００５０】
＜比較例２＞
リール部材として、ポリスチレン樹脂からなり、軸芯部の直径が１８．５ｍｍで厚さが５．３５ｍｍ、第１及び第２フランジ部の直径が２５０ｍｍで厚さが２．１ｍｍの従来のものを用いた。
このリール部材に対し、上述した接着フィルムを通常の方法で、それぞれ３００ｍ、５００ｍ、２０００ｍ、５０００ｍ巻き付けた。
【００５１】
＜評価＞                                              
実施例及び比較例１、２によって作成したフィルム収容体をそれぞれ室温で２４時間の横置きの状態で放置した後、フィルム引出装置の駆動軸に装着できるか否かを確認した。
【００５２】
また、フィルム引出装置の駆動軸に装着できたものに対し、環境試験温度３０℃、引張速度４０００ｍｍ／分、引出張力５０ｇの条件で引き出し、引出後の接着フィルムの状態（ブロッキング、接着剤のはみ出しの有無）を目視で観察した。これらの結果を表１に示す。
【００５３】
【表１】
2014043346.tif 000003
【００５４】
＜評価結果＞
表１から明らかなように、巻芯軸部を設けない構成の比較例１の場合、接着フィルムの巻き長さが３００ｍ、５００ｍと短い場合には、フィルム引出時において問題は生じなかったが、接着フィルムの長さが２０００ｍ、５０００ｍと長尺化した場合には、軸芯部の歪みによってフィルム引出装置の駆動軸にリール部材を装着することができなかった。
【００５５】
一方、従来の構成のリール部材を用いた比較例２の場合、接着フィルムの巻き長さが３００ｍ、５００ｍと短い場合には、フィルム引出時において問題は生じなかったが、接着フィルムの巻き長さが２０００ｍ、５０００ｍと長尺化した場合にブロッキング及び接着剤のはみ出しが生じ、フィルム収容体を形成することができなかった。
【００５６】
これに対し、実施例にあっては、接着フィルムの巻き長さが５０００ｍと長尺化した場合であっても、フィルム引出装置の駆動軸にリール部材を装着することができ、またブロッキング及び接着剤のはみ出しが生じなかった。
以上の結果から、本発明の効果を実証することができた。
【符号の説明】
【００５７】
１…リール部材
２…巻芯軸部
３…内部
４…軸芯部
４ａ…駆動軸支持部
７…フィルム収容体
１０…接着フィルム
１１…第１フランジ部
１２…第２フランジ部 
【図１】
2014043346.tif 000004
【図２】
2014043346.tif 000005
【図３】
2014043346.tif 000006
【図４】
2014043346.tif 000007
【図５】
2014043346.tif 000008
【図６】
2014043346.tif 000009
【図７】
2014043346.tif 000010